(57)【要約】【課題】  水槽内において藻類の生成を抑制し、長期間効果が持続する水槽の水質浄化方法を提供することである。【解決手段】  起毛加工された炭素繊維（Ａ）を水中光存在下で使用することを特徴とする水槽の水質浄化方法であり、起毛加工された炭素繊維（Ａ）は布帛、特に織物が使いやすく効果にもすぐれる。【選択図】なし【特許請求の範囲】
【請求項１】
起毛加工された炭素繊維（Ａ）を水中光存在下で使用することを特徴とする水槽の水質浄化方法。
【請求項２】
前記起毛加工された炭素繊維（Ａ）の形状が布帛であることを特徴とする請求項１記載の水槽の水質浄化方法。
【発明の詳細な説明】
【技術分野】
【０００１】  本発明は、各種水槽の水質浄化方法に関し、特に藻類の繁殖を抑制する水槽の水質浄化方法に関する。
【背景技術】
【０００２】  鑑賞用や養殖用の水槽や各種工業における浄化水槽（例えばクーリングタワー）などに於いて、その水の流れがないか穏やかで適度な栄養分があるところには、特に初夏から初秋にかけてその水面や水中に緑色を呈したアオコなどの藻類が繁殖してくるようになる。この藻類は増殖すると水面を覆い水中に充満するようになる。【０００３】  このように藻類が繁殖してくると水中への酸素の採り入れが阻害され、水中に生息する魚類の生育を妨げたり、藻類の臭いがきつくなったりする。また水中に生息する微生物群の健全な生息をも妨げるようになる。特に観賞用水槽の場合、観賞価値が激減するため、清掃回数を多くする必要が生じる。【０００４】  このような藻類の発生を防止する薬剤は知られているが、このような薬剤を用いた場合は藻類を死滅させるだけでなく、魚類や微生物群の健全な生育にも害を与えるようになって好ましくない。
このような問題点を解決する方法として、たとえば光触媒を無機担体に担持させる方法が提案されている（たとえば、特許文献１、請求項１）。【０００５】
【特許文献１】特開平１１−２２９１５２号公報
【発明の開示】
【発明が解決しようとする課題】
【０００６】  しかしながら、光触媒を用いる方法はある程度藻類の生成を減少させることができるが、周囲に無機物や有機物が付着するとその効果が弱まり、結果として長期間効果が持続しないという問題がある。
本発明の目的は、藻類の生成を抑制し、長期間効果が持続する水槽の水質浄化方法を提供することである。
【課題を解決するための手段】
【０００７】  請求項１の発明は、起毛加工された炭素繊維（Ａ）を水中光存在下で使用することを特徴とする水槽の水質浄化方法である。【０００８】  請求項１の発明によれば、水槽内の水質が浄化され、水槽において藻の生成を抑制することができ、長期間その効果を持続することができる。起毛加工された炭素繊維（Ａ）はその表面が微細に起毛されているために表面積が非常に大きくなり水質浄化の効果を奏し、「藻」の抑制効果において目に見えて効果が現れる。起毛加工されていない炭素繊維ではこの効果は不十分である。また、起毛加工された炭素繊維（Ａ）には微生物菌類がより集まりやすくなり、魚が容易に産卵したりすることになるが、起毛加工されていない炭素繊維ではこのようなことは起こらない。以上のことは起毛加工された炭素繊維（Ａ）がその表面が微細に起毛されているために表面積が非常に大きくなることに由来していると思われる。【０００９】  炭素繊維は、ポリアクリロニトリル合成繊維状物や石油精製残留ピッチの繊維状物を高温下で延伸と焼結を行ったものであり、本発明における起毛加工された炭素繊維（Ａ）は通常の炭素繊維を起毛加工処理したものである。起毛加工は通常の繊維の起毛加工処理と同じで行われる。起毛加工の程度は通常の市販品レベルであれば十分である。
起毛加工された炭素繊維の形状としては、たとえば糸状、編物・織物などの布帛状、不織布またはバインダーに分散された短繊維状のものが挙げられ、特に限定されないが、好ましくは取扱い性の点で布帛であり、特に好ましくは形状保持、強度の点で工夫ができる織物である。【００１０】  起毛加工された炭素繊維（Ａ）を水中光存在下で使用すると、水槽内が水質浄化される理由としては、以下の様に推定される。炭素繊維を一定期間以上浸漬すると、炭素繊維の表面にぬるぬるの粘着物質がフィルム状に付着し、いわゆるバイオフィルムが形成される。一方、炭素繊維は水中で光を受けると、ある特定の波長を発振し、その波長に呼応して水中に分散している炭素菌その他の有機有用微生物菌群が炭素繊維の周囲に集まってくる。この微生物菌群がバイオフィルムの表面にも移行し、一定濃度以上に増殖した微生物菌群が有機物を捕食する。その結果水質が浄化され、藻の発生を抑制することになると推定される。炭素繊維に特有の微生物菌群が集まるためこのような特有の効果を奏するものと考えられる。特に本発明における起毛加工された炭素繊維（Ａ）はその表面が微細に起毛されているために表面積が拡大され、水中微生物の付着が格段に向上し、微生物の固着が非常に容易となり、通常の起毛加工されていない炭素繊維では得られない水質浄化の効果が目に見えて現れ、水槽内の藻の生成を抑制することができ、またその効果を持続することができる。【００１１】  ここで、光とは２００〜８００ｎｍの波長の光を含む光であり、太陽光や可視光線、紫外線照射が挙げられ、好ましくは昼間水槽内に入る太陽光線である。太陽光線の下で起毛加工された炭素繊維（Ａ）がある特定の波長を発振して微生物菌群を集めるとともに、バイオフィルムがより多く形成され、水が浄化されその結果藻の発生を抑制することになると考えられる。【００１２】  起毛加工された炭素繊維（Ａ）の重量の水槽の水の重量に対する比は、水の重量１００重量部に対して、好ましくは０．１〜２０重量部であり、より好ましくは０．５〜１０重量部である。０．１重量部であると水質が浄化され、藻の発生を抑制する効果が現れる。２０重量部以下であると、水質浄化効果や抑制効果が十分長期間発揮できる。【００１３】  請求項２の発明は、前記炭素繊維（Ａ）の形状が布帛であることを特徴とする請求項１記載の水槽の水質浄化方法である。【００１４】  請求項２の発明によれば、前記炭素繊維（Ａ）の形状が布帛であると、広い面積をもつので種々の加工ができると共に、水中で色々な処理ができるようになり、実使用上非常に有利になる。
【発明の効果】
【００１５】  本発明の水槽の水質浄化方法は次の効果を奏する。
（１）起毛加工された炭素繊維（Ａ）を用いると、水槽内の水質が浄化され、その結果、藻類の生成を抑制する効果が大きく、長期間持続する。
（２）水槽内の水質が良好となり、悪臭の発生もなく、水槽の水を長期間換えなくてもよい。
（３）藻類の水槽壁への発生が抑制できるので、鑑賞の妨げにならず、癒し効果の持続にも繋がる。
（４）水槽にウオーターグラスなどを入れる必要もなくなる。
【発明を実施するための最良の形態】
【００１６】  以下、本発明の実施例を説明する。なお、本発明は、以下の実施の形態に限定されるものではない。本発明と同一および均等の範囲内において、以下の実施の形態に対して種々の変更を加えることが可能である。【００１７】（実施例１、比較例１）
水槽として１．２Ｌの水が入るガラス瓶を用い、一方の瓶には１０ｇの起毛加工処理された炭素繊維織物（フクオカ機業社製）を女性用頭髪セットカーラー（幅３ｃｍ×長さ６ｃｍ）に巻きつけていれ（実施例１）、片方の瓶には水のみ（比較例１）を入れ、蓋はしなかった。水は京都市の水道水を用い、１．２Ｌ入れて１Ｌの基線まで蒸発したときに同じ水で１．２Ｌまで補充して、これを繰り返した。太陽光がよく当たる家の外に置き、４ケ月後の状態を観察した実施例１にはガラス壁面には何も付着しておらず異臭もないが、比較例１はガラスに青い藻の付着が多く観察され藻の臭いがした。【００１８】（実施例２、比較例２）
縦５０ｃｍ×横２０ｃｍ×３０ｃｍの水槽に２０Ｌの水道水と実施例１で用いた炭素繊維と同じ種類の炭素繊維１０ｇを入れ、メダカ類２０匹を入れて育成した。水を入れ替えずに７ケ月後観察したところガラス壁にわずかの藻が付着しただけであった（実施例２）。藻を入れる前は、３週間毎に水交換と掃除をしていた（比較例２）が、この炭素繊維を入れるだけで水を換えずともよく藻の生成もわずかであった。【００１９】（実施例３）
容量１００Ｌの熱帯魚水槽に水道水を８割程度満たし、実施例１で用いた炭素繊維と同じ種類の炭素繊維３０ｇを水中に入れ、熱帯魚を飼っているが、２年間水を換えず掃除もしていないが藻の付着もほとんどなく、水槽内はきれいであった。
【産業上の利用可能性】
【００２０】  本発明の水槽の水質浄化方法は、鑑賞用や養殖用の水槽や各種工業における浄化水槽などに好適に使用できる。